(57)【要約】【課題】  カーナビゲーション装置における操作者判別可能な手元コントロールシステムの提供。【解決手段】  手元コントローラ１に２つのダイアルスイッチ２ａ，２ｂを設置し、運転者・同乗者いずれからの操作であるかを判断するため、左右いずれの側からの操作入力であるか判別する。また、車両が走行中であるか否か、さらに同乗者の有無を判断し、走行中である場合は、運転者側、すなわちライトダイアルスイッチ２ｂが操作されているとき、操作メニューを制限する。【選択図】      図１
2005156257.tif 000002
【特許請求の範囲】
【請求項１】
操作者に操作メニューおよびナビゲーション情報を表示する表示手段と、
運転席と助手席の双方から操作可能な入力手段と、
この入力手段への入力結果に応じて、表示手段の表示を変化させる表示制御手段と、
車速を検出する車速検出手段と、
車両が走行中であるとき、操作メニューを制限する操作制限手段と、
を備えた車両用入力装置において、
前記入力手段に、同一の操作結果が得られる運転席用操作部および助手席用操作部を設け、
前記操作制限手段は、
前記運転席用操作部が操作されているとき、操作メニューを制限し、
前記助手席用操作部が操作されているとき、全ての操作メニューを使用可能とすることを特徴とする車両用入力装置。
【請求項２】
請求項１に記載の車両用入力装置において、
前記運転席用操作部を、入力手段側面の運転席に面して配置し、
前記助手席用操作部を、入力手段側面の助手席側に面して配置したことを特徴とする車両用入力装置。
【請求項３】
請求項２に記載の車両用入力装置において、
前記運転席用操作部および助手席用操作部を、操作メニューを切り換えるスイッチとし、
前記入力手段の車両前方側上面に、操作メニューから所望の操作を選択するスイッチを設けたことを特徴とする車両用入力装置。
【請求項４】
請求項１ないし請求項４のいずれか１項に記載の車両用入力装置において、
助手席乗員の有無を検出する助手席乗員検出手段を設け、
前記操作制限手段は、助手席乗員が存在し、かつ助手席用操作部が操作されているとき、全ての操作メニューを使用可能とすることを特徴とする車両用入力装置。
【発明の詳細な説明】
【技術分野】
【０００１】
本発明は、運転席と助手席の双方から操作可能な入力手段を備えた車両用入力装置の技術分野に属する。
【背景技術】
【０００２】
従来、車両用入力装置、たとえばカーナビゲーション装置では、安全性の観点から、車両走行中、複雑な操作を禁止して操作制限を実施しているが、これでは、助手席乗員による操作が制限され、利便性に劣る。
【０００３】
よって、この問題を解決するため、従来のカーナビゲーション装置では、赤外線センサ等の操作者判別手段を設け、操作者が助手席乗員である場合には、操作制限を実施しない、または操作制限を解除し、全ての操作を許可している（例えば、特許文献１、特許文献２参照。）。
【特許文献１】特開平７−３０６０５５号公報
【特許文献２】特開平８−１８４４４９号公報
【発明の開示】
【発明が解決しようとする課題】
【０００４】
しかしながら、上記従来技術にあっては、操作部とは別に、操作者を判別するためのセンサが必要となる。したがって、装置の大型化とコスト高を招くという問題があった。さらに、センサ精度によっては、操作者を誤判断し、不適正な操作制限を実施するおそれがある。
【０００５】
本発明は、上記問題に着目してなされたもので、その目的とするところは、センサを用いることなく、確実に操作者を判別でき、適正な操作制限を実施できる車両用入力装置を提供することにある。
【課題を解決するための手段】
【０００６】
上述の目的を達成するため、本発明の車両用入力装置では、操作者に操作メニューおよびナビゲーション情報を表示する表示手段と、運転席と助手席の双方から操作可能な入力手段と、この入力手段への入力結果に応じて、表示手段に表示させるメニューおよびナビゲーション情報を変化させる表示制御手段と、車速を検出する車速検出手段と、車両が走行中であるとき、操作メニューを制限する操作制限手段と、を備えたカーナビゲーション装置において、前記入力手段に、同一操作が可能な運転席用操作部および助手席用操作部を設け、前記操作制限手段は、前記運転席用操作部が操作されているとき、操作メニューを制限し、前記助手席用操作部が操作されているとき、全ての操作メニューを使用可能とすることを特徴とする。
【発明の効果】
【０００７】
本発明にあっては、入力手段に運転席用操作部と助手席用操作部とを別々に設け、運転席用操作部が操作されているとき、操作メニューを制限し、助手席用操作部が操作されているとき、全ての操作メニューを使用可能とした。よって、操作者が運転者または助手席乗員であるかどうかを、センサを用いることなく確実に判別でき、適正な操作制限が可能となる。
【発明を実施するための最良の形態】
【０００８】
以下に、本発明を実施するための最良の形態を、実施例１に基づいて説明する。
【実施例１】
【０００９】
まず、構成を説明する。
図１はカーナビゲーション装置の手元コントローラを示す斜視図、図２は手元コントローラの平面図である。
【００１０】
前記手元コントローラ１は、車室内のセンタコンソールに設置され、運転席と助手席のどちらからでも操作可能に設けられている。この手元コントローラ１の車幅方向には、左右２個のダイアルスイッチ２が設置されている。左助手席側には、助手席乗員が操作するレフトダイアルスイッチ（助手席用操作部）２ａが配置されている。一方、右運転席側には、運転者が操作するライトダイアルスイッチ（運転席用操作部）２ｂが設置されている。これら２つのダイアルスイッチ２ａ，２ｂは、同一の機能を有し、図外の表示装置に表示される操作メニューをスクロールさせ、操作メニューを切り替えるために用いられる。
【００１１】
前記手元コントローラ１の車両前方側上面には、間に２つのプッシュスイッチ４ａ，４ｂ，を挟んで、車幅方向左側にレフトシーソースイッチ３ａ、右側にライトシーソースイッチ３ｂが配置されている。これら２つのプッシュスイッチ４ａ，４ｂと２つのシーソースイッチ３ａ，３ｂは、操作メニューから所望の操作を選択するために用いられる。
【００１２】
図３は、カーナビゲーション装置の制御ブロック図である。
カーナビゲーション装置は、上述した手元コントローラ１と、制御装置５と、自車速を検出する走行検出部６と、助手席乗員の有無を検出する助手席検出部（助手席乗員検出手段）７と、表示装置８とを備えている。
【００１３】
前記制御装置５は、走行状態判断部５ａ、助手席有無判断部５ｂ、操作制御部（表示制御手段）５ｃおよびタイマ５ｄを備えている。
走行状態判断部５ａは、走行検出部６により検出された自車速に基づいて、車両が走行しているかどうかを判断し、判断結果を操作制御部５ｃへ出力する。
【００１４】
前記助手席有無判断部５ｂは、助手席乗員検出部７の検出結果に基づいて、乗員の有無を判断し、判断結果を操作制御部５ｃへ出力する。助手席乗員検出部７は、助手席のシートクッション（図示せず）に設けられた、例えば着座センサであり、助手席の荷重を検出する。
【００１５】
前記操作制御部５ｃは、手元コントローラ１、走行状態判断部５ａおよび助手席有無判断部５ｂの出力に基づいて、ナビゲーションの操作メニューの切り替えや操作制限等を実施する（操作制限手段に相当）。
【００１６】
前記タイマ５ｄは、例えば、手元コントローラ１からの入力が無い無操作状態が所定時間経過したとき、画面を初期メニューに戻す、または表示装置８のバックライトを消灯させる際に用いられる。
【００１７】
次に、作用を説明する。
［操作者判別制御処理］
図４は、制御装置５で実行される操作者判別処理の流れを示すフローチャートであり、以下、各ステップについて説明する。
【００１８】
ステップＳ１では、走行状態判断部３ａにおいて、走行中であるかどうかが判断される。YESであればステップＳ２へ移行し、NOであればステップＳ４へ移行する。
【００１９】
ステップＳ２では、助手席乗員有無判断部５ｂにおいて、同乗者の有無が判断される。YESであればステップＳ３へ移行し、NOであればステップＳ５へ移行する。
【００２０】
ステップＳ３では、操作制御部５ｃにおいて、左右のダイアルスイッチ２ａ，２ｂのどちらが操作されているかが判断される。左側（助手席側）であればステップＳ６へ移行し、右側（運転席側）であればステップＳ５へ移行する。
【００２１】
ステップＳ４では、操作モードを停車モードとし、本制御を終了する。ここで、「停車モード」とは、全操作が可能となる操作モードをいう。
【００２２】
ステップＳ５では、操作モードを運転者モードとし、本制御を終了する。ここで、「運転者モード」とは、複雑な操作を制限する操作モードをいう。
【００２３】
ステップＳ６では、操作モードを助手席モードとし、本制御を終了する。ここで、「助手席モード」とは、停車モードと同様に全操作が可能となる操作モードをいう。
【００２４】
[操作者判別制御作用]
(1) 車両が停車中の場合には、図４のフローチャートにおいて、ステップＳ１→ステップＳ４へと進む流れとなる。すなわち、ステップＳ４において操作モードが停車モードとなり、全ての操作が可能となる。
【００２５】
(2) 走行中、助手席乗員が存在し、かつ助手席側のダイアルスイッチ２ａが操作されている場合には、図４のフローチャートにおいて、ステップＳ１→ステップＳ２→ステップＳ３→ステップＳ６へと進む流れとなる。すなわち、ステップＳ６において、操作モードが助手席モードとなり、走行中でも助手席乗員による全操作が可能となる。
【００２６】
(3) 走行中に助手席に乗員が存在しない場合、または、走行中に運転席側のダイアルスイッチ２ｂが操作されている場合には、図４のフローチャートにおいて、ステップＳ１→ステップＳ２→ステップＳ３→ステップＳ５と進む流れとなる。すなわち、操作モードが運転者モードとなり、複雑操作が不可能となる。
【００２７】
［２つのダイアルスイッチによる操作者判別作用］
図５は、手元コントローラ１の操作者判別時の画面イメージ図である。
【００２８】
図５(a)は、表示装置８の初期画面を示しており、画面には、地図画面および「目的地設定」、「画質」、「オーディオ」、「車両情報」および「ナビ」のアイコン（操作選択メニュー）が表示されている。これらは、手元コントローラ１において、対応する位置のシーソースイッチ３を押すことで、それに対応する画面を表示させることができる。このとき、ナビゲーションシステムそのものは機能していない。
【００２９】
図５(b)は、図５(a)において、「ナビ」を選択し、カーナビゲーションを起動させた状態を示す。このとき、画面には、「メニュー」、「２画面表示」、「目的地設定」および「ビュー切替」のアイコンが表示される。
【００３０】
図５(b)において、「目的地設定」のアイコンを押下すると、図５(c)に示すように、項目選択画面に切り替わる。すなわち、図５(b)のアイコンに加え、手元スイッチ１のダイアルスイッチ２ａ，２ｂにて操作を行う項目が表示される。
【００３１】
ここで、助手席乗員により左ダイアルスイッチ２ａが操作された場合には、モードが助手席モードとなり、目的地設定操作が許可される。
【００３２】
一方、運転者により右ダイアルスイッチ２ｂが操作された場合には、モードが運転者モードとなり、複雑な操作を要する目的地設定操作が禁止される。このとき、図５(e)に示すように、画面には操作を禁止する警告が表示される。
【００３３】
次に効果を説明する。
実施例１の操作者判別装置にあっては、次に列挙する効果を得ることができる。
【００３４】
(1) ２つのダイアルスイッチ２ａ，２ｂにより操作者を判別し、レフトダイアルスイッチ２ａが操作されているとき、操作メニューを制限し、ライトダイアルスイッチ２ｂが操作されているとき、全ての操作メニューを使用可能とした。よって、操作者が運転者または助手席乗員であるかどうかを、センサを用いることなく確実に判別でき、適正な操作制限が可能となる（請求項１に対応する効果）。
【００３５】
(2) レフトダイアルスイッチ２ａを手元コントローラ１の助手席側側面に配置し、ライトダイアルスイッチ２ｂを手元コントローラ１の運転席側側面に配置したため、操作者の判別が確実である（請求項２に対応する効果）。
【００３６】
(3) 操作制限対象、かつ主要操作である目的地設定メニューを、手元コントローラ両脇に設置した２つのダイアルスイッチ２ａ、２ｂで行い、他の操作は手元コントローラ１上面前方のスイッチ群で行うため、制限対象となる操作をより簡単に認識することが可能となる（請求項３に対応する効果）。
【００３７】
(4) 助手席に着座センサ等の助手席検出部７を設け、かつレフトダイアルスイッチ２ａの操作により助手席乗員の操作を判断するため、操作者判別の確実性が向上する（請求項４に対応する効果）。
【００３８】
（他の実施例）
以上、本発明を実施するための最良の形態を、実施例１に基づいて説明してきたが、本発明の具体的な構成は、実施例１に限定されるものではなく、発明の要旨を逸脱しない範囲の設計変更等があっても本発明に含まれる。
【００３９】
実施例１では、本発明の車両用入力装置としてカーナビゲーション装置を用いて説明したが、本発明は、カーナビゲーション装置だけではなく、オーディオ、エアコン、およびその他の車載機器の入力装置としてもよい。
【００４０】
実施例１では、走行中の操作制限表示をカーナビゲーション装置の表示装置に表示しているが、操作制限は走行中の運転者にのみ通知すればよいのであるから、カーナビゲーション装置の表示装置ではなく、インパネ内に別途表示してもよい。また、ハンドルに専用の表示装置を設けたり、音声や振動で運転者に警告してもよい。また、それらと画像による表示を組み合わせてもよい。
【００４１】
実施例１では、助手席乗員検出手段として着座センサを用いたが、代わりにシートベルトバックルスイッチを用いて、助手席乗員の有無を検出してもよい。
【図面の簡単な説明】
【００４２】
【図１】カーナビゲーション装置の手元コントローラを示す斜視図である。
【図２】手元コントローラの平面図である。
【図３】カーナビゲーション装置の制御ブロック図である。
【図４】制御装置５で実行される操作者判別処理の流れを示すフローチャートである。
【図５】手元コントローラ１の操作者判別時の画面イメージ図である。
【符号の説明】
【００４３】
１  手元コントローラ
２ａ  レフトダイアルスイッチ
２ｂ  ライトダイアルスイッチ
３ａ  レフトシーソースイッチ
３ｂ  ライトシーソースイッチ
４ａ  フロントプッシュスイッチ
４ｂ  リアプッシュスイッチ
５  制御装置
５ａ  走行状態判断部
５ｂ  助手席乗員有無判断部
５ｃ  操作制御部
５ｄ  タイマ
６  走行検出部
７  助手席乗員検出部
８  表示装置
【図１】
2005156257.tif 000003
【図２】
2005156257.tif 000004
【図３】
2005156257.tif 000005
【図４】
2005156257.tif 000006
【図５】
2005156257.tif 000007